(57)【要約】【課題】脱落しにくい構造にし、品質の強固性がある歯間ブラシにおける組み合せの改良構造を提供する。【解決手段】端部が斜めに突き出ている挿接部１１を有する把柄部１、挿接部１１の中央に挿孔１１１が設けられ、しかも把柄部１と挿接部１１とが相互連接した横側に、側孔１２が設けられ、側孔１２は挿孔１１１と交差し、刷毛体２は弾性ロープ２２の一端側周縁に複数の刷毛２１が設けられ、しかも弾性ロープ２２を挿接部１１の挿孔１１１に挿入させ、挿入軸３を把柄部１の側孔１２に挿入し、挿孔１２内に刷毛体１の弾性ロープ２２を押さえ付けることで、しっかり刷毛体２を挿接部１１の挿孔１１１に装着させる。【選択図】図４
0003122162.tif 000002
【実用新案登録請求の範囲】
【請求項１】
刷毛体は、非常に細い弾性ロープの一端側周縁に複数の発射状を呈する刷毛が設けられ、
把柄部は、一側が斜めに突き出ている挿接部を有し、前記挿接部の中央に挿孔が設けられ、前記挿接部と相互連接した側の横に側孔が設けられ、前記側孔は前記挿孔と交差し、前記刷毛体の弾性ロープを挿接部の挿孔に挿入可能であり、
挿入軸は、前記把柄部の挿孔に挿入して挿孔内に前記刷毛体の弾性ロープを押さえ付けることで、前記刷毛体が挿接部の挿孔に装着されていることを特徴とする歯間ブラシにおける組み合せの改良構造。
【請求項２】
前記挿入軸の表面に複数の凹凸状の歯縁が設けられることを特徴とする請求項１に記載の歯間ブラシにおける組み合せの改良構造。
【請求項３】
前記把柄部の側孔の周縁に複数の凹凸状の歯縁が設けられることを特徴とする請求項１又は２に記載の歯間ブラシにおける組み合せの改良構造。
【考案の詳細な説明】
【技術分野】
【０００１】
本考案は、歯間ブラシにおける組み合せの改良構造であって、特に構造が簡単で、使用上に便利な歯間ブラシの構造に関する。
【背景技術】
【０００２】
伝統的な歯間ブラシの構造は、比較的に簡単で、複数のきわめて細い金属の線で互いに巻き付いてまっすぐな螺旋状の線を製造して、螺旋状の線の一端側縁に刷毛が設けられ、当該刷毛は人造繊維を材質として平均的に当該真直ぐなシャフト端部の周縁に密着されて外へ発散して円柱の形を呈し、また当該まっすぐな螺旋状の線の他端は握りやすい把柄部と結び付けて、当該把柄部は直接プラスチックで当該螺旋状の線の端部から伸び出て成型されるか、或いはゴムがくっつく方式で当該螺旋状の線の端部と連結することで、使用者に握りやすい構造の設計を提供する。
【０００３】
しかしながら、もし前記把柄部がゴムのくっつく方式で当該螺旋状の線の端部と連結すれば、加工には簡単であるが、二つ間の連結強固性が低く脱落しやすいため、よく搬運中或は使用中の脱落が起きる。直接に当該螺旋状の線の端部から外へ発散して成型していれば、好ましい連結強固性があって、搬運中或は使用中の脱落はあまり起こらないが、全体的な加工プロセスが比較的複雑で、しかも製造の難度が高く、生産コストが増加するため、産量が向上しにくいばかりでなく、その生産の上でも経済効果に合わない。
【考案の開示】
【考案が解決しようとする課題】
【０００４】
本考案は歯間ブラシの構造における欠点に鑑みてなされたものであり、考案者はこの欠点に対して研究改良して、本考案を創作した。
本考案の主な目的は歯間ブラシにおける組み合せの改良構造を提供して、刷毛体と把柄部間の連結を極めてしっかりし、脱落しにくい構造で品質の強固性を確認させることである。
本考案の他の目的は歯間ブラシにおける組み合せの改良構造を提供して、全体的の組み合せ構造を比較的簡単にし、生産コストを低下させ、その生産の上でも経済効果を向上させることである。
【課題を解決するための手段】
【０００５】
本考案で前記目的及び効果を達するために用いられる技術手段は、端部が斜めに突き出ている挿接部を有する把柄部、前記挿接部の中央に挿孔が設けられ、しかも前記把柄部と前記挿接部とが相互連接した横側に、側孔が設けられ、前記側孔は挿孔と交差し、刷毛体は弾性ロープの一端側周縁に複数の刷毛が設けられ、しかも弾性ロープを前記挿接部の挿孔に挿入させ、挿入軸を前記把柄部の側孔に挿入し、挿孔内に前記刷毛体の弾性ロープを押さえ付けることで、しっかり前記刷毛体を挿接部の挿孔に装着させる。
本考案の上記記載と他の目的、構造、作用及び効果は、下記の図面と詳細な説明を参照して完全に理解できる。
【考案を実施するための最良の形態】
【０００６】
本考案の第一実施例による歯間ブラシの主な構造は、図１に示す斜視図、図２の分解斜視図、及び図３、図４のそれぞれの組み合せ動作を示す図を参照することで、はっきり見えて、把柄部１、刷毛体２、及び挿入軸３を備える。把柄部１はその一側が斜めに突き出ている挿接部１１を有して、挿接部１１の中央に軸に沿って伸びる挿孔１１１が設けられ、把柄部１と挿接部１１とが相互連接し折曲ったトップ側の横に側孔１２が設けられ、しかも側孔１２は挿孔１１１と交差する。刷毛体２には弾性ロープ２２の一端周縁側に発射状を呈する刷毛２１が設けられる。挿入軸３の外径は略に側孔１２の内径より大きいので、側孔１２に挿入してしっかり装着させることができる。
【０００７】
組み合せる時、弾性ロープ２２を直接挿接部１１の挿孔１１１に挿入させて、挿入軸３を把柄部１の側孔１２に挿入し、しかも挿孔１１１に挿通して、挿入軸３の端部で刷毛体２の弾性ロープ２２を押さえ付けることで、しっかり刷毛体２を挿孔１１１に装着させる。これにより、使用者は直接把柄部１を握って、刷毛体２の刷毛２１を口腔に入れて歯間を清掃することができて、全体構造は極めて簡単で使用上にも便利である。
【０００８】
図５は本考案の第二実施例による歯間ブラシの構造を示す図であって、当該図面に示すように、本考案の第二実施例では挿入軸３０の周縁側に複数の凹凸状の歯縁３０１構造が設けられることで、それと側孔１２間の摩擦力が増加し、挿入軸３０を容易に把柄部１の側孔１２に挿入させて、しっかり連結することができる。
図６は本考案の第三実施例による歯間ブラシの構造を示す図であって、当該図面に示すように、本考案の第三実施例では把柄部１０の側孔１２内の周縁側に複数の凹凸状の歯縁１２０構造が設けられることで、それと挿入軸３間の摩擦力が増加して、挿入軸３を容易に把柄部１０の側孔１２に挿入させて、しっかり連結することができる。
【０００９】
図７、図８は本考案の第四実施例による歯間ブラシの構造を示す図と断面図であって、当該二つの図面に示すように、前記把柄部１と類似する構造の把柄部４は、その一側が斜めに突き出ている挿接部４１を有して、挿接部４１の中央に軸に沿って伸びる挿孔４１１が設けられて、把柄部４と挿接部４１１とが相互連接した折曲ったトップ側の横に側孔４２が設けられ、しかも側孔４２は挿孔４１１と交差する。刷毛体２は、弾性ロープ２２が挿孔４１１に挿入され、挿入軸３（或るいは３０）が横から側孔４２に挿入され、挿入軸３（或るいは３０）の端部が弾性ロープ２２を押さえ付けて、刷毛体２をしっかりと挿孔４１１に固定することができ、前記記載された第一実施例の構造と完全に相同な定位効果がある。
【００１０】
前記の記載で、本考案の実施例による歯間ブラシにおける組み合せの改良構造は、確かに構造が簡単で、組み合せがしっかりしており、しかも使用上に便利な効果があって、産業上の利用性、新規性及び進歩性があることを分かった。
また、前記の記載は、本考案の好ましい実施形態を示して説明したが、上述した実施形態にのみ限定されるものではなく、本考案の請求項に基づく種々の構成変更実施は本考案の請求範囲に属する。
【図面の簡単な説明】
【００１１】
【図１】本考案の第一実施例による歯間ブラシの斜視図である。
【図２】本考案の第一実施例による歯間ブラシの分解斜視図である。
【図３】本考案の第一実施例による歯間ブラシの組み合せ動作を示す図である。
【図４】本考案の第一実施例による歯間ブラシの組み合せ動作を示す図である。
【図５】本考案の第二実施例による歯間ブラシの構造を示す図である。
【図６】本考案の第三実施例による歯間ブラシの構造を示す図である。
【図７】本考案の第四実施例による歯間ブラシの構造を示す図である。
【図８】本考案の第四実施例による歯間ブラシの断面図である。
【符号の説明】
【００１２】
１、１０、４  把柄部、１１、４１  挿接部、１１１、４１１  挿孔、１２、１２０、４２  側孔、１２１、３０１  歯縁、２  刷毛体、２１  刷毛、２２  弾性ロープ、３、３０  挿入軸
【図１】
0003122162.tif 000003
【図２】
0003122162.tif 000004
【図３】
0003122162.tif 000005
【図４】
0003122162.tif 000006
【図５】
0003122162.tif 000007
【図６】
0003122162.tif 000008
【図７】
0003122162.tif 000009
【図８】
0003122162.tif 000010